(57)【特許請求の範囲】
【請求項１】
生体認証処理を実施する生体認証装置において、
指に対して側面から光を照射する光源部と、
光の任意波長に対して光透過性を有する干渉フィルタと、
前記干渉フィルタの下部に配置されかつ前記干渉フィルタを透過した透過光を撮像する撮像部と、
前記撮像部に侵入する外光を遮断する遮光カバーと、
前記遮光カバーを駆動する駆動部と、
前記生体認証装置の内部にあって、前記遮光カバーを格納する格納する格納部と、
前記撮像部に指がかざされたことを検知する検知部と、
前記検知部により指がかざされたことに基づき、前記駆動部を用いて前記遮光カバーを前記格納部から前記生体認証装置の外部へ突出させるように駆動するよう制御する制御部と、を有することを特徴とする生体認証装置。
【請求項２】
請求項１記載の生体認証装置において、
前記制御部は、生体認証の終了後に、前記駆動部を用いて前記遮光カバーを前記生体認証装置の外部から前記格納部へ収納させるように駆動するよう制御することを特徴とする生体認証装置。
【請求項３】
請求項１または２記載の生体認証装置において、
前記遮光カバーを検知するセンサを有し、
前記制御部は、前記センサが前記遮光カバーの位置を検知することにより、前記駆動部の駆動を停止することを特徴とする生体認証装置。
【請求項４】
請求項３記載の生体認証装置において、
前記センサは、生体認証時における前記遮光カバーの位置を検知する第一のセンサと、生体認証時以外における前記遮光カバーの位置を検知する第二のセンサとを含み、
前記制御部は、前記駆動部を用いて前記遮光カバーを前記格納部から前記生体認証装置の外部へ突出させるように駆動した後、前記第一のセンサが前記遮光カバーを検知することにより、前記駆動部の駆動を停止することを特徴とする生体認証装置。
【請求項５】
請求項４記載の生体認証装置において、
前記制御部は、前記駆動部を用いて前記遮光カバーを前記生体認証装置の外部から前記格納部へ収納させるように駆動した後、前記第二のセンサが前記遮光カバーを検知することにより、前記駆動部の駆動を停止することを特徴とする生体認証装置。
【請求項６】
請求項３〜５のいずれかに記載の生体認証装置において、
前記センサは、前記遮光カバーに設けられた突起状物を検知することにより、前記遮光カバーを検知することを特徴とする生体認証装置。
【請求項７】
請求項１〜６のいずれかに記載の生体認証装置において、
前記遮光カバーを前記撮像部による撮像位置をはさんで左右に対向させて備えることを特徴とする生体認証装置。
【請求項８】
貨幣の取引を取り扱う現金自動取引装置において、
請求項１〜７のいずれかに記載の生体認証装置を備えた現金自動取引装置。
【発明の詳細な説明】
【技術分野】
【０００１】
本発明は、生体認証を用いた本人確認を行う生体認証装置に関わり、特に生体画像の取得、保守等に好適な技術に関するものである。
【背景技術】
【０００２】
近年、現金自動取引装置（ＡＴＭ = Automated Teller Machine）による取引おいて、盗んだ暗証番号とキャッシュカードを用いて他人がキャッシュカードの所有者になりすまし、口座から現金を引き落としてしまう犯罪が急増している。各金融機関は本人確認の方法を見直し、盗まれることのないその人固有の生体情報による本人確認を実施するケースが増えている。また、様々な生体認証方法の中で静脈認証が精度の高いものとして注目を集めている。
【０００３】
その静脈認証技術として、特許文献１には指認証装置が開示され、さらに指認証装置は外光遮蔽部を備えている。この外光遮蔽部は撮像部に侵入する外光を遮蔽する役割を果たし、ガイド部の左右に対称に設けられ、認証対象外指の外形に沿った長さで全長に凹部形状を有する。また、指の長さ及び高さよりもいずれも大きいものであり、その先端が曲線で低くなっている。
【０００４】
【特許文献１】特開２００５−１２８９３６号公報
【発明の開示】
【発明が解決しようとする課題】
【０００５】
金融機関等のＡＴＭに生体認証装置が設置されている場合、タッチパネルと同じ平面上に設置されることが多い。なお、そのタッチパネルはＡＴＭから利用者側に突出したテーブルに備え付けられた構成をとっていることが多い。これをふまえると上記特許文献１には以下のような問題がある。
【０００６】
例えば特許文献１をＡＴＭに適用してみる。ＡＴＭ内部であってテーブルの下部の保守を行う際、テーブルを持ち上げてテーブルの下部をむきだしにすると、特許文献１の外光遮蔽部はＡＴＭとぶつかって、双方を傷めてしまう可能性がある。
【０００７】
本発明の目的はカメラにより生体を撮像する際に確実に外光を遮断でき、かつ、ＡＴＭの保守作業時に各部位に損害を与えることのない、遮光カバーを提供することである。
【課題を解決するための手段】
【０００８】
指をかざす側の遮光カバーと前記生体認証装置下部の上面との接点から遮光カバーで最も高い位置にあたる点までの距離が、指をかざす側とは反対側の遮光カバーと生体認証装置下部の上面との接点から遮光カバーで最も低い位置にあたる点までの距離よりも長い、遮光カバーを生体認証装置に備える。
【発明の効果】
【０００９】
保守作業のためＡＴＭ開閉部を開口した状態でもＡＴＭ本体に損害を与えることのない形状の遮光カバーを提供することにより、生体認証の精度、保守作業の効率を向上させる効果を奏する。
【発明を実施するための最良の形態】
【００１０】
以下に本発明に好適な実施の形態を図面を用いて詳細に説明する。なお、これらは本発明の一実施例を示すものであり、構成の機能や構成その他を制限するものではない。
【実施例１】
【００１１】
図１は生体認証装置を搭載した現金自動取引装置（以下、ＡＴＭ）を示すもので、利用者が通常使用するときの、特に生体認証装置近傍を拡大したものである。図２は生体認証装置を搭載したＡＴＭのブロック図である。図１、２を用いてＡＴＭの各構成を説明する。
【００１２】
ＡＴＭ１００の利用者が操作する側（ＡＴＭ１００の正面側）の外面は前面パネルで構成されている。その前面パネルは例えば上段から下段にわたって、上部前面パネル１０７、中部前面パネル１０８、下部前面パネル１０９の３つに分けられる。上部前面パネル１０７と下部前面パネル１０９は利用者にほぼ垂直に対向した構成となっている。一方、中部前面パネル１０８は上部前面パネル１０７と接している部分から奥に向かって傾斜しており、いわゆるくぼんだ構造となっている。
【００１３】
ＡＴＭ１００は、中部前面パネル１０８と下部前面パネル１０９との間に、ＡＴＭ１００の設置面に対しほぼ平行（水平）となっているテーブルを有する。このテーブルは後述するように、保守作業のときに上に跳ね上げて開閉することができるので、開閉部１０１として説明する。開閉部１０１の奥には利用者が紙幣の入出金を行う紙幣入出金口１０５、硬貨の入出金を行う硬貨入出金口１０６が設置されている。また、開閉部１０１には表示入力部１０２、生体認証装置１０３が上部に設けられている。
【００１４】
そしてＡＴＭ１００は、ＡＴＭ全体を制御する制御部２００、様々なデータやプログラム等の情報を記憶する主記憶部２０１、カードの挿入／排出動作、カードの磁気ストライプ又はＩＣカードに記憶されたデータに対し読み書き、カードエンボス部分のイメージ読み取りなどの機能を有するカード機構部２０２、紙幣を収納し、鑑別部により真偽鑑別し、収納箱から紙幣入出金口１０５まで搬送する紙幣機構部２０３、硬貨を収納し、鑑別部により真偽鑑別し、収納箱から硬貨入出金口１０６まで搬送する硬貨機構部２０４を備えている。
【００１５】
表示入力部１０２は、利用者に操作案内等の表示や利用者からの入力受付を行うもので、タッチパネルなどで構成されている。生体認証装置１０３は生体情報を用いて本人確認を実施する装置であり、遮光カバー１０４を有している。この遮光カバー１０４は指の画像を撮像する際に太陽光や蛍光灯などの光が入ってしまい、取得する画像が不正確になるのを防ぐために取り付けている。
【００１６】
遮光カバー１０４を備えた生体認証装置１０３はＡＴＭ１００における本人確認のために利用される場合に高いセキュリティ効果を奏する。次にＡＴＭ１００で生体認証装置１０３を利用して取引を行うことについて説明する。なお、以下の説明における動作の主体は制御部２００である。
【００１７】
制御部２００は表示入力部１０２に入金、支払、残高照会、振込などの取引選択案内を表示し、利用者から取引の選択を受け付ける。ここで表示入力部１０２の「支払いキー」等の押下により表示入力部１０２にＩＣカードを挿入する旨の案内を表示しＩＣカードの挿入を促す。一方、利用者がカード機構部２０２にＩＣカードを挿入すると、制御部２００はそれを検知し、カード機構部２０２によりＩＣカードに記憶されている生体情報や口座番号などの情報を読み取る。
【００１８】
次に暗証番号を入力する旨の案内を表示入力部１０２に表示し、利用者により表示入力部１０２に暗証番号が入力されると、制御部２００はそれを検知し、読み取った口座番号と入力された暗証番号とを金融機関ホストコンピュータに送信する。一方、金融機関ホストコンピュータは、ＡＴＭ１００から送信された暗証番号を受信し、入力された暗証番号と事前に登録しておいた口座番号に対応する暗証番号との照合を行い、その照合結果をＡＴＭ１００に送信する。制御部２００は照合結果を受信して暗証番号の正否をチェックし、入力された暗証番号が正しかった場合には次の生体認証処理へ進む。ここで生体認証により本人確認が成功すればＡＴＭ１００の制御部２００は利用者が希望する取引を実施する。すなわち支払取引のときには紙幣機構部２０３、硬貨機構部２０４から利用者が希望する金額の紙幣・硬貨を出金する。
【００１９】
この生体認証処理で使用される生体認証装置１０３の構成として生体認証装置１０３の外観斜視図（図３）、生体認証装置１０３の断面図（図４）を示す。
【００２０】
図３のように生体認証装置１０３は、生体に近赤外光を照射する、ＬＥＤなどで構成された光源部３０１、任意の波長に対してのみ光透過性を有する干渉フィルタ３０２、干渉フィルタ３０２の下部に配置され干渉フィルタ３０２を透過した透過光を撮像する、カメラなどで構成された撮像部４０１、撮像部４０１で近赤外光を撮像する際に外光の侵入を防止する遮光カバー１０４、を備えている。
【００２１】
生体認証装置１０３内部の構造は、図４に示すように、指４００の左右に１対ある光源実装部の内部には複数の光源部３０１を一列に実装した絶縁された基盤が搭載されている。光源部３０１により指４００の真横に近赤外光を照射する。具体的には図３のようにこの光源を指４００の長手方向の第一関節から第二関節に照射する。光源部３０１は指４００の中心高さと同等な高さに位置し、照射された近赤外光が指４００の内部で反射しながら指４００の外に出る。つまり、絶縁基板上に一列に複数個の光源部３０１があり、少なくとも指４００の第１関節と第２関節との間に対応して等間隔に配置している。
【００２２】
制御部２００は、指４００の腹側から出て干渉フィルタ３０２を透過した光（図４の下側方向への光）を撮像部４０１により撮像する。干渉フィルタ３０２は、光源部３０１から照射した透過光が指４００の内部で乱反射して指４００の腹側から出た透過光のうち任意の波長である近赤外線だけを透過させるものである。近赤外線は血液中のヘモグロビンに吸収され易いため、静脈は暗く、静脈以外は明るく撮像される。血液中に存在するヘモグロビンは近赤外線を吸収する働きがあるために血管は暗く写り、血管以外は明るく写る。制御部は撮像したデータを指静脈画像データとして合成する。
【００２３】
左右１対のＬＥＤ照射を通して得られる指４００の静脈画像データを編集処理して１枚の静脈画像データから特徴量を得る。そして、その特徴量と予め登録された登録済のデータとを照合する。登録済みのデータは利用者の所有するＩＣカード内、または金融機関ホストコンピュータに記憶しておき、制御部２００がそれらの登録データを受信して撮像データと照合しても本人確認を実施する。照合結果は外部接続コネクタで繋がっているにＡＴＭ１００の表示入力部１０２に表示される。
【００２４】
なお、指４００の腹側から出て干渉フィルタ３０２を透過した光（図示の下側方向への光）を撮像部４０１により撮像する際に、照明等の外光が入ってしまうと正確な指静脈画像データを得ることができない。それを防ぐ方法として、生体認証装置１０３に遮光カバー１０４を設けて、その高さを指４００よりも高い位置に設置することも考えられるが、以下のような問題もある。ＡＴＭ１００の表示入力部１０２（タッチパネル）を備えた開閉部１０１（テーブル）上に生体認証装置１０３を設置する場合であって、この開閉部１０１を持ち上げて保守作業するときにもＡＴＭ１００と遮光カバー１０４がぶつかって双方に損害を与えてしまう恐れがある。そこで、遮光カバー１０４の後部を前部よりも低い高さに設計したものである。
【００２５】
また、生体認証装置１０３は、撮像部４０１が備わる下部と、光源部３０１が備わる上部とに分けられ（図４参照）、図３に示すように下部の上面に遮光カバー１０４が設置されている。
【００２６】
生体認証の精度、保守作業の効率を向上するのに適した遮光カバー１０４の設計の一例を、図５を用いて説明する。指４００をかざす位置をはさんで、遮光カバー１０４ａと１０４ｂが対向する位置に設置されている。そのうち１０４ａに着目し、指４００をかざす側（図５の手前側）の遮光カバー１０４と生体認証装置１０３の下部上面との接点をＡ、図１のようにＡＴＭ１００に設置した際中部前面パネル１０８に近い側（図５の奥側）の遮光カバー１０４ａと生体認証装置１０３の下部上面との接点をＢとする。さらに、遮光カバー１０４ａで最も高い位置にあたる点をＥ、遮光カバー１０４ａで最も低い位置にあたる点をＦとする。同様に１０４ｂに着目し、指４００をかざす側（図５の手前側）の遮光カバー１０４ｂと生体認証装置１０３の下部上面との接点をＣ、図１のようにＡＴＭ１００に設置した際中部前面パネル１０８に近い側（つまり指をかざす側とは反対側、図５の奥側）の遮光カバー１０４ｂと生体認証装置１０３の下部上面との接点をＤ（図５の構成上見えない位置にある）とする。この場合、ＡＢ間は約７０ｍｍ（図５のＬ１）、ＡＣ間は約５０ｍｍ（図５のＬ２）、ＡＥ間は約３０ｍｍ（図５のＨ１）、ＢＦ間は約１５ｍｍ（図５のＨ２）である。これらの数値はＡＴＭ１００の中部前面パネル１０８の傾きに基づいて計算されており、保守作業時にＡＴＭ１００と遮光カバー１０４がぶつかって双方に損害を与えることのない適度な数値に設定されている。
【００２７】
なお、ここでは遮光カバー１０４の図５の手前側を「指をかざす側」、図５の奥側を「指をかざす側とは反対側」と定義しているが、図５の手前側を「指の根元が置かれる側」、図５の奥側を「指先が置かれる側」と定義することもできる。
【００２８】
図６、７を用いて、ＡＴＭ１００に遮光カバー１０４を備えた生体認証装置１０３において、通常使用する（利用者が取引操作する）ときと、係員が保守作業するときについて説明する。図６は図１の側面図、図７は生体認証装置１０３を搭載したＡＴＭ１００を保守作業するときの側面図である。
【００２９】
図６のように、開閉部１０１の上に生体認証装置１０３が設置され、図１、２で説明したとおりＡＴＭ１００の中部前面パネル１０８にくぼみがある。開閉部１０１の下部には紙幣機構部２０３、硬貨機構部２０４を備えたユニット６００がある。
【００３０】
このユニット６００に故障が発生した際には、図７のように係員はこの開閉部１０１を開いて上方に持ち上げ、ユニット６００に手を入れて保守作業にあたる。保守作業とは定期的なメンテナンス、不意の故障の修理などを指し、ユニット６００内の紙幣搬送テスト、生体認証装置１０３やカード機構部２０２の動作確認を行う。
【００３１】
開閉部１０１は中部前面パネル１０８と開閉部１０１との接点付近を軸として角度数十度ほど開くことが可能となっているが、開閉部１０１を不用意に開くと遮光カバー１０４と中部前面パネル１０８が衝突してしまい双方を傷めてしまう恐れがあるので、開閉部１０１が開く角度は衝突しない程度に規制している。しかし、その角度を小さくしすぎる（開閉部があまり開かないようにする）と内部の保守作業をするのが難しくなってしまう。そこで本実施形態の遮光カバー１０４は後部、すなわち前面パネルに近い側の高さを低くしており、ここに大きな特徴がある。
【００３２】
つまり、指４００をかざす側の遮光カバー１０４と生体認証装置１０３の下部上面との接点Ａから遮光カバー１０４で最も高い位置にあたる点Ｅまでの距離ＡＥは、ＡＴＭ１０１に設置した際中部前面パネル１０８に近い側の遮光カバー１０４と生体認証装置１０３の下部上面との接点Ｂから遮光カバー１０４で最も低い位置にあたる点Ｆまでの距離ＢＦよりも長い。
【００３３】
よって、保守作業のため開閉部１０１を開口した状態でもＡＴＭ本体に損害を与えることのない形状の遮光カバー１０４を提供することにより、生体認証の精度、保守作業の効率を向上させる効果を奏する。
【００３４】
なお、上述した例では遮光カバー１０４自体の構造を特徴として説明したが、遮光カバー１０４の素材として弾力性のあるゴムを採用することによって遮光カバー１０４と中部前面パネル１０８双方を傷める問題が発生しにくくなる。つまり遮光カバー１０４をゴム製にすることでたとえ衝突しても損害を少なく抑えることができる。
【実施例２】
【００３５】
実施例２では、実施例１の遮光カバー１０４の上部に近赤外光カットフィルム８０１を設置した生体認証装置１０３を説明する。図８（ａ）（ｂ）のように左右対称の遮光カバー１０４の上部に半透明の近赤外光カットフィルム８０１を設置することで近赤外光を遮断することができる。つまり、上述したように近赤外光を使用して指の静脈を撮影するため、近赤外光カットフィルム８０１で外部より照射される近赤外光をカットすることで、精度の高い静脈画像を取得することができる。また、この近赤外光カットフィルム８０１を半透明にしており、利用者は指４００をかざす位置を目視できるので便利である。図８（ａ）は指をかざす利用者側から見た生体認証装置１０３（又は遮光カバー）、（ｂ）はＡＴＭ１００に設置した場合の中部前面パネル１０８側から見た生体認証装置１０３であり、中部前面パネル１０８側の遮光カバー１０４の先端部分には近赤外光カットフィルム８０１を設置していない（図示するカットフィルムなしの部分）。これにより利用者が指４００を生体認証装置１０３にかざしたとき、先端が開いている分だけ開放感があるので、利用者は安心して生体認証を実施することができる。
【００３６】
また、図８に図示するように、生体認証装置に設置される遮光カバー１０４は、利用者の指の側面に離間されて配置される一対の側板（図１、３等参照）と、その上部に配置される近赤外光カットフィルム８０１とが一体となって構成されている。そこで、側板を側板部、上部（近赤外光カットフィルム８０１）を天井部と呼ぶこともできる。
【００３７】
また、実施例１では２つの遮光カバー１０４を対向させて使用したが、実施例２のように中部前面パネル１０８に近い側をＵの字のような形にしても良い。また、遮光カバー１０４の寸法は図５で説明したものが望ましい。
【００３８】
また、遮光カバー１０４及び近赤外光カットフィルム８０１は取り外し可能な構成にする。指４００の画像を取得する際にゴミや汚れがあると正確な画像を取得できないので、取り外して生体認証装置１０３を清掃可能である。
【００３９】
遮光カバー１０４の素材は黒色のポリカーボネイトで構成することで、近赤外光を含む側面から入ってくる光の量をほぼゼロに減らすことができる。これにより、生体認証の画像を精密に取得することができ、認証時の誤差を最小限に抑えることができる。
【００４０】
図１６に実施例２の別の態様を示す。形状は実施例２とほぼ同じであるが、素材が異なるものである。遮光カバー１０４全体が半透明の近赤外光カットフィルム８０１で構成されている。このため、利用者は自分の指４００を見ながら生体認証を実施することが可能である。
【実施例３】
【００４１】
実施例１では保守作業時に障害とならないよう前後部の高さを変えた遮光カバー１０４について説明してきたが、その他の実施形態として、認証時にのみ遮光カバー１０４を生体認証装置１０３の外部に出す方法もある。すなわち生体認証を実施していないときは、遮光カバー１０４を生体認証装置１０３内に格納しておく。また、遮光カバー１０４が大きく、生体認証装置１０３内に収まりきらない場合には生体認証装置１０３のみならずＡＴＭ１００内に格納するようにしてもよい。そして、後述の駆動部１００２によって遮光カバー１０４から生体認証装置１０３の外部へ駆動する。このような形態にすれば、保守作業時には遮光カバー１０４は生体認証装置１０３にＡＴＭ１００と遮光カバー１０４がぶつかって双方に損害を与えてしまう恐れがなくなり、遮光カバー１０４の形状を自由に設計可能となる。
【００４２】
図９は自動設置式遮光カバー１０４の一部を拡大したものである。遮光カバー１０４の下部には一方の側面が歯形のギアのような形状をした基底部９０１が備えられている。生体認証装置１０３には、外周が歯形の歯車９０２、基底部９０１の一方の端部に突起した形状をなすストッパ９０３、ストッパ９０３の位置を検知する上側の上部センサ９０４と、下側の下部センサ９０５により構成される。歯車９０２が駆動（回転）すると、歯車９０２と基底部９０１とがかみ合って遮光カバー１０４が上下に移動する仕組みになっている。例えば図９では、時計回りに歯車９０２が回転すると遮光カバー１０４は下方に移動し、反時計回りに歯車９０２が回転すると遮光カバー１０４は上方に移動する。
【００４３】
図１０は遮光カバー１０４を自動設置式にした場合の生体認証装置１０３のブロック図である。なお、ＡＴＭ１００の構成について、図２で説明した表示入力部１０２、主記憶部２０１、カード機構部２０２、紙幣機構部２０３、硬貨機構部２０４を省略している。生体認証装置１０３は、生体認証装置１０３全体を制御する制御部１００１、歯車９０２を回転させて遮光カバー１０４を駆動する駆動部１００２、指４００がかざされたことを検知する、センサ等で構成された検知部１００３、光源部３０１、撮像部４０１、ＡＴＭ１００と接続するためのインターフェースであるＩ／Ｏデバイス１００４、を備えている。なお、このＩ／Ｏデバイス１００４は、ＡＴＭ１００側のＩ／Ｏデバイス１００５とつながっているので遮光カバー１０４の駆動制御をＡＴＭ１００の制御部２００にさせることも可能である。
【００４４】
図１１は遮光カバー１０４を自動設置式にした場合の認証のフローチャートを示す。
【００４５】
制御部１００１は検知部１００３により生体認証装置１０３に物体がかざされたことを検知する（Ｓ１１０１）。ステップ１１０１の後、物体が生体であったかどうかをチェックする（Ｓ１１０２）。ここで生体でなかった場合には、設定時間を経過したどうかをチェックする（Ｓ１１０３）。設定時間を経過していなければ、再びステップ１１０１に戻る。一方設定時間を経過していた場合は、認証を中止する（Ｓ１１０４）。
【００４６】
そしてステップ１１０２で物体が生体であった場合には、駆動部１００２によって遮光カバー１０４を格納部９０６から上方へ駆動する（Ｓ１１０５）。遮光カバー１０４が所定地に設置されたことを上部センサ９０３を用いて認識すると、光源３０１から指４００に近赤外光を当てて指静脈画像データの取得を開始する（Ｓ１１０６）。そして取得した画像と予め登録しておいた画像との比較（生体認証処理）を実施する（Ｓ１１０７）。生体認証処理が終了すると、駆動部１００２により遮光カバー１０４を下方へ駆動し格納部９０６に収納する（Ｓ１１０８）。これで遮光カバー１０４を自動設置式にした場合の認証処理を終了する。
【００４７】
なお、設定時間とは、入力部により生体認証を実施する意思を表したものの途中でやめてしまった利用者がいた場合に遮光カバー１０４が生体認証装置１０３の外部に突出したままになってしまうと困るので、自動的に格納するために目安とする時間である。
【００４８】
図１２、１３は図９で説明した上部センサのＡ−Ａ´を上から見たときの断面図である。上部センサ９０４と下部センサ９０５は同じ構成をしており、同じ仕組みでストッパ９０３の位置を検知する。片側に発光ダイオード１２０１を備え、もう一方に受光部１２０２を備えている。生体認証装置１０３の電源がオンになっている間は常に発光ダイオード１２０１から受光部１２０２へ光が入射している。駆動部１００２の働きにより遮光カバー１０４が上部センサ９０４の設置場所まで移動すると、発光ダイオード１２０１からの光はストッパ９０３により遮られ受光部に届かなくなる。
【００４９】
最初に上部センサ９０４の働きに注目してみる。検知部１００３により指４００が検知されるまでの間遮光カバー１０４は格納部９０６に収納されているので、図１２のように受光部１２０２は発光ダイオード１２０１からの光を受け続ける。そして、歯車９０２の回転により遮光カバー１０４が上方に移動すると、図１３のようにストッパ９０３が発光ダイオード１２０１と受光部１２０２の間に侵入する。そして、受光部１２０２は発光ダイオード１２０１からの光を受けなくなる。
【００５０】
次に下部センサ９０５の働きに注目してみる。検知部１００３により指４００が検知されるまでの間遮光カバー１０４は格納部９０６に収納されているので、図１２のように受光部１２０２は発光ダイオード１２０１からの光を受けない。そして、歯車９０２の回転により遮光カバー１０４が上方に移動すると、図１２のようにストッパ９０３が発光ダイオード１２０１と受光部１２０２の間には存在しなくなり、受光部１２０２は発光ダイオード１２０１からの光を受け続ける。そして、生体認証処理が終了すると遮光カバー１０４が下方に移動してくるので、図１３のようにストッパ９０３が発光ダイオード１２０１と受光部１２０２の間に侵入し、受光部１２０２は発光ダイオード１２０１からの光を受けない。
【００５１】
このように、制御部１００１は遮光カバー１０４を格納部９０６に格納しているか、外部に設置しているのかを認識することが可能になる仕組みとなっている。
【００５２】
また、図１４はアーチ型の遮光カバー１０４の格納部９０６を生体認証装置１０３内に設けたものであり、図９と同様の構成をアーチ型に適用したものである（図１５参照）。生体認証を実施する際には、駆動部１００２が遮光カバー１０４を駆動して遮光カバー１０４を格納部９０６から生体認証装置外部へ突出させ、左右両方向から指４００をかざす部分を覆うように設置する。
【００５３】
よって、このように指４００がかざされたことに基づき自動的に設置される遮光カバー１０４を備えることにより、保守作業のためＡＴＭ１００の開閉部１０１を開口した状態でもＡＴＭ１００本体に損害を与えることなく、生体認証の精度と保守作業の効率を向上させる効果を奏する。
【実施例４】
【００５４】
実施例４では実施例１〜３で説明した遮光カバー１０４に関して、その他の実施形態を説明する。なお、後述の図１７〜２１に表される生体認証装置１０３の内部構成は実施例１〜３と同じものである。
【００５５】
図１７は近赤外光カットフィルム８０１を取り付け済みの遮光カバー１０４（図８参照）を備えた生体認証装置１０３の外観斜視図である。図示のとおり、遮光カバー１０４を生体認証装置１０３に対し隙間なく安定した形状で取り付けている。なお、生体認証装置１０３と遮光カバー１０４のどちらか一方に突起部、もう一方にその突起部をはめ込むはめ込み部を設けておけば、生体認証装置１０３と遮光カバー１０４を結合したときにより安定した構成にすることが可能である。本例で示す近赤外光カットフィルム８０１は、実施例２で述べたように、天井部と呼んでも良い。
【００５６】
図１８は近赤外光カットフィルム８０１を取り付けた遮光カバー１０４を備えた生体認証装置１０３の断面図を示す。上述の図８では利用者の指の上面、即ち生体認証装置１０３の撮像部４０１と対向する位置に近赤外光カットフィルム８０１（天井部）を配置したことを説明したが、本例ではさらに、指の静脈を取得する精度を上げるために以下に示す種々の特徴を有している。
【００５７】
矢印（１）のように、近赤外光カットフィルム８０１（天井部）に適度な丸みをつけて構成している。生体認証装置１０３により利用者の指静脈を取得する過程で説明したように、指４００に対して左右１対の光源部３０１より近赤外光を照射し、それを撮像部４０１によって撮像することで指静脈を取得する。このとき、光源部３０１から照射される近赤外光は指４００に対してのみではなく、矢印（２）に示すように天井部に対しても照射されてしまう。このような天井部から反射される近赤外光を撮像部４０１によって取り込み、指静脈の撮影画像に入り込むことを防ぐために、天井部を丸み構造としている。図は光源部３０１からから様々な方向に照射された近赤外光のうち、近赤外光カットフィルム８０１に向かって照射された近赤外光の反射光が撮像部４０１による撮影に邪魔にならない方向へと進むことを示す（点線の矢印（２））。
【００５８】
なお、図２０のように適度な丸みというのは直径１００ｍｍの円弧の丸みにするが最適である（図２０の点線で表した円は直径１００ｍｍの円である）。この丸みは大き過ぎたり小さ過ぎたりすると、反射光が画像に入り込むのを防ぐ効果を発揮できない。よって、直径９０〜１１０ｍｍの範囲の円弧で設計するのが良好である。
【００５９】
遮光カバー１０４の側板部は矢印（３）のように傾斜をもつ構造を採用する。言い換えると、この側板部は撮像部４０１による撮像位置（指）をはさんで左右に対向し、かつ、その対向幅が上方に向かって広がる構成となっている。撮像部４０１は点線で示すような画角を有しているが、遮光カバー１０４は上述の構成となっているので、遮光カバー１０４自体が撮像部４０１の画角に入るのを防ぐことができる。
【００６０】
なお、図２０のように、側板部と、生体認証装置１０３の設置面からの垂直方向に延ばした線（図では点線にて示す）がなす角度Ｒ１は１３度程度にするのが適している。この角度Ｒ１は撮像部４０１の画角に合わせ、画角プラス１〜５度くらいにすると良い。例えば画角が１２度であれば、角度Ｒ１は１３〜１７度とする。
【００６１】
また、生体画像を取得する際には撮像位置に埃があると撮影に支障をきたす恐れがあり、こまめに清掃しなければならないが、近赤外光カットフィルム８０１があるため清掃しにくいという問題がある。この問題を解決するため、図１９のように、遮光カバー１０４から近赤外光カットフィルム８０１（天井部）を容易に取り外すことのできる構成とする。これにより、清掃時の作業が簡単になり、利便性が向上する。
【００６２】
また、図４と図１８、１９とを比べると、図１８、１９の方が、干渉フィルタ３０２が大きい。図１８、１９では図４より撮像部４０１を低位置に設置した態様で表しており、撮像部４０１の撮像領域をカバーするべく干渉フィルタ３０２を大きくしたのものである。このように干渉フィルタ３０２は撮像部４０１の撮像領域に応じて大きさを変えて設置すればよい。
【００６３】
また、図２１のように、遮光カバー１０４には指先部分に開口部を設けておく。遮光カバー１０４の形状は実施例１で述べたものと同様に、遮光カバー１０４は指４００をかざす側（指挿入口）の方がその反対側（指先設置部分）よりも高い構成になっている（矢印部分参照）。その上で、さらに指先設置部分に開口部を設けておく。これにより、爪の長い人が利用する場合であっても爪が生体認証装置１０３や遮光カバー１０４に当たらなくてすむ。なお、遮光カバー１０４の指４００をかざす側とその反対側の最高点同士を結んだ線と、生体認証装置１０３の設置面（図では点線にて示す）とがなす角度Ｒ２は１５度程度にするのが良好である。この角度は設置するＡＴＭ１００の前面パネルの構造に依存するものであり、ＡＴＭ１００の前面パネルのくぼみに合わせて適宜変更しても良い。
【図面の簡単な説明】
【００６４】
【図１】生体認証装置を搭載したＡＴＭを利用者が通常使用する場合の外観図の例
【図２】生体認証装置を搭載したＡＴＭのブロック図の例
【図３】生体認証装置の外観斜視図の例
【図４】生体認証装置の断面図の例
【図５】生体認証装置の設計の例
【図６】生体認証装置を搭載したＡＴＭを利用者が通常使用する場合の側面図の例
【図７】生体認証装置を搭載したＡＴＭを係員が保守作業する場合の側面図の例
【図８】遮光カバーに近赤外光カットフィルムを設置した場合の外観図の例
【図９】遮光カバーを自動設置式にした場合の生体認証装置の断面図の例
【図１０】遮光カバーを自動設置式にした場合の生体認証装置のブロック図の例
【図１１】自動設置式遮光カバーのフローチャートの例
【図１２】上部（下部）センサの断面図の例
【図１３】上部（下部）センサの断面図の例
【図１４】遮光カバーを自動設置式にした場合の生体認証装置の外観図のその他の例
【図１５】遮光カバーを自動設置式にした場合の生体認証装置の断面図のその他の例
【図１６】遮光カバーに近赤外光カットフィルムを設置した場合の外観図のその他の例
【図１７】近赤外光カットフィルムを取り付けた遮光カバーを備えた生体認証装置の外観斜視図の例
【図１８】近赤外光カットフィルムを取り付け済みの遮光カバーを備えた生体認証装置の断面図の例
【図１９】近赤外光カットフィルムを取り外し可能な生体認証装置の断面図の例
【図２０】遮光カバーの設計の例
【図２１】開口部を設けた遮光カバーの例
【符号の説明】
【００６５】
１００…ＡＴＭ、１０１…開閉部、１０２…表示入力部、１０３…生体認証装置、１０４…遮光カバー、１０５…紙幣入出金口、１０６…硬貨入出金口、１０７…上部前面パネル、１０８…中部前面パネル、１０９…下部前面パネル、２００…制御部、２０１…主記憶部、２０２…カード機構部、２０３…紙幣機構部、２０４…硬貨機構部、３０１…光源部、３０２…干渉フィルタ、４００…指、４０１…撮像部、６００…ユニット、８０１…近赤外線カットフィルム、９０１…基底部、９０２…歯車、９０３…ストッパ、９０４…上部センサ、９０５…下部センサ、９０６…格納部、１００１…制御部、１００２…駆動部、１００３…検知部、１００４…Ｉ/Ｏデバイス（生体認証装置）、１００５…Ｉ/Ｏデバイス（ＡＴＭ）、１２０１…発光ダイオード、１２０２…受光部
【図１】
0004759467.tif 000002
【図２】
0004759467.tif 000003
【図３】
0004759467.tif 000004
【図４】
0004759467.tif 000005
【図５】
0004759467.tif 000006
【図６】
0004759467.tif 000007
【図７】
0004759467.tif 000008
【図８】
0004759467.tif 000009
【図９】
0004759467.tif 000010
【図１０】
0004759467.tif 000011
【図１１】
0004759467.tif 000012
【図１２】
0004759467.tif 000013
【図１３】
0004759467.tif 000014
【図１４】
0004759467.tif 000015
【図１５】
0004759467.tif 000016
【図１６】
0004759467.tif 000017
【図１７】
0004759467.tif 000018
【図１８】
0004759467.tif 000019
【図１９】
0004759467.tif 000020
【図２０】
0004759467.tif 000021
【図２１】
0004759467.tif 000022